(57)【要約】【課題】本発明は化粧品用ケースを開示した。【解決手段】ケースを含み、前記ケースの中にはモータスライド溝が設けられ、前記モータスライド溝の中には制御装置が設けられ、前記制御装置がコントロールボードを含み、前記モータスライド溝の中には動力装置が設けられ、本装置は口紅を固定するまた開けることができ、塗り付け物の自動オーブンと鏡の自動昇降等の機能を有し、化粧品用ケースの多機能の作用を実現し、同時に、口紅等の装置に対する固定と口紅と塗り付け装置に対する保護とが化粧品の安全を保障でき、つまみの保護により装置をカバンの中に置く場合、誤って触れても装置を開けてしまうことがなく、錯誤が出る可能性を低下させ、同時に単モータを使用して多機能を実現し、装置のコストを低下させ、エネルギー消耗を節約する。【選択図】図１
2020171656.tif 000002
【特許請求の範囲】
【請求項１】
ケースを含み、前記ケースの中にはモータスライド溝が設けられ、前記モータスライド溝の中には制御装置が設けられ、前記制御装置がコントロールボードを含み、前記モータスライド溝の中には動力装置が設けられ、前記モータスライド溝の左端には開閉チャンバが設けられ、前記コントロールボードが前記開閉チャンバの下端壁に位置し、前記コントロールボードが前記開閉チャンバと相通し、前記コントロールボードと前記開閉チャンバの中には鏡装置が設けられ、前記制御装置が前記鏡装置の上下移動と回転を制御し、前記コントロールボードの下端には駆動チャンバが設けられ、前記駆動チャンバと前記モータスライド溝との間には連結溝が連結され、前記駆動チャンバの中には連動装置が設けられ、前記鏡装置が前記連動装置の上下移動を制御し、前記駆動チャンバの右端壁には上スライド溝が設けられ、前記上スライド溝が前記駆動チャンバと相通し、前記上スライド溝の右端が外界と相通し、前記上スライド溝の中には塗り付け装置が設けられ、前記制御装置と前記動力装置が前記塗り付け装置の回転と左右移動を制御し、前記駆動チャンバの右端壁には下スライド溝が設けられ、前記下スライド溝の左端壁が前記駆動チャンバの右端壁と相通し、前記下スライド溝の中には口紅装置が設けられ、前記制御装置と前記動力装置が前記口紅装置の回転と左右移動を制御することを特徴とする化粧品用ケース。
【請求項２】
前記制御装置が前記コントロールボードを含み、前記コントロールボードの中には前記モータスライド溝と回転できるように連結される制御軸が設けられ、前記コントロールボードの中には移動溝が設けられ、前記移動溝の中には親ねじスリーブがスライドできるように連結され、前記親ねじスリーブには制御親ねじがネジ山により連結され、前記制御親ねじが前記コントロールボードの右部外側まで右へ伸びて貫通し、前記制御親ねじの右端にはつまみが設けられ、前記制御親ねじの中部には制御溝車が設けられ、前記溝車チャンバの下端壁には縄溝が設けられ、前記縄溝の下端壁にはロック溝が設けられ、前記ロック溝の上端壁にはリセット溝が設けられ、前記ロック溝の左端壁には縄ブロックがスライドできるように連結され、前記縄ブロックと前記制御溝車との間には第一縄が連結され、前記ロック溝の中には外側まで伸びている錠がスライドできるように連結され、前記錠の上端面には前記リセット溝とスライドできるように連結されるリセットブロックが固定的に連結され、前記リセットブロックと前記リセット溝の左端壁との間にはリセットブロックばねが連結され、前記移動溝の左端壁には液圧ブロック溝が設けられ、前記液圧ブロック溝の下端壁には規制溝が設けられ、前記液圧ブロック溝の中には液圧ブロックがスライドできるように連結され、前記液圧ブロックの下端面には前記規制溝とスライドできるように連結されるストッパーが設けられ、前記液圧ブロック溝の左端壁には弾性薄膜が設けられ、前記弾性薄膜の左端には回しブロックが固定的に連結され、前記弾性薄膜と前記液圧ブロックとの間には作動油が設けられ、前記コントロールボードの上端にはプラス磁石が固定的に連結されることを特徴とする請求項１に記載の化粧品用ケース。
【請求項３】
前記動力装置がモータブロックを含み、前記モータブロックが前記モータスライド溝の下端壁とスライドできるように連結し、前記モータブロックの右端面と前記モータスライド溝の右端壁との間にはモータブロックばねが連結され、前記モータブロックの中にはモータが設けられ、前記モータの下端にはモータ軸が動力が伝達できるように連結され、前記モータ軸の上端にはモータギヤが設けられ、前記モータ軸の下端にはモータベベルギヤが設けられ、
前記鏡装置が開閉板軸を含み、前記開閉板軸が前記開閉チャンバの前後端壁と回転できるように連結され、前記開閉板軸には捻りばねが設けられ、前記開閉板軸には開閉板が設けられ、前記開閉板の右端には右に開口した凹溝が設けられ、前記凹溝の中には梯形ブロックがスライドできるように連結され、前記梯形ブロックと前記凹溝との間には梯形ブロックばねが連結され、前記ケースの中には前記開閉チャンバの下端に位置する一級凹溝が設けられ、前記一級凹溝の中には長鏡板がスライドできるように連結され、前記長鏡板と前記一級凹溝の下端壁との間には一級ばねが連結され、前記長鏡板の中には上に開口した二級凹溝が設けられ、前記二級凹溝の中には短鏡板がスライドできるように連結され、前記短鏡板と前記二級凹溝との間には二級ばねが連結され、前記短鏡板の右端面には鏡が設けられ、前記長鏡板の右端面には前記プラス磁石と結合するマイナス磁石が設けられることを特徴とする請求項１に記載の化粧品用ケース。
【請求項４】
前記連動装置は連結ブロックを含み、前記連結ブロックが前記長鏡板の右端面とスライドできるように連結し、前記駆動チャンバの下端面には垂直軸が回転できるように連結され、前記垂直軸の下端には垂直軸ベベルギヤが設けられ、前記垂直軸の上端にはスライドスリーブがスライドできるように連結され、前記スライドスリーブと前記連結ブロックとの間が回転できるように連結され、前記スライドスリーブにはスライドスリーブギヤが設けられ、前記スライドスリーブの中にはスライドキー溝が設けられ、前記スライドキー溝の中にはスライドキーがスライドできるように連結され、前記スライドキーが前記垂直軸と固定的に連結され、
前記塗り付け装置が塗り付け主体を含み、前記塗り付け主体が前記上スライド溝とスライドできるように連結され、前記塗り付け主体の中には蓋チャンバが設けられ、前記蓋チャンバの下端壁にはギヤ溝が設けられ、前記ギヤ溝の下端壁には接合溝が設けられ、前記接合溝の左端壁にはリードスクリュー溝が設けられ、前記リードスクリュー溝の中には塗り付け親ねじがネジ山により連結され、前記塗り付け親ねじの左端には前記モータベベルギヤと噛み合える塗り付けベベルギヤが設けられ、前記塗り付け親ねじの右端には塗り付けギヤが設けられ、前記蓋チャンバの左端壁には横軸が回転できるように連結され、前記横軸の左端には前記塗り付けギヤと噛み合う横軸ギヤが設けられ、前記横軸の中部には左溝車が設けられ、前記横軸の右端には右溝車が設けられ、前記蓋チャンバの下端壁には塗り付け板が左右対称に設けられ、前記塗り付け板の中には塗り付け軸が回転できるように連結され、前記塗り付け軸には塗り付け軸捻りばねが設けられ、前記塗り付け軸捻りばねには蓋が設けられ、前記蓋チャンバの前後端壁には二つの固定滑車が回転できるように連結され、左端の前記蓋と右端の前記右溝車との間には下端の前記固定滑車により第二縄が連結され、右端の前記蓋と左端の前記左溝車との間には上端の前記固定滑車により第三縄が連結されることを特徴とする請求項１に記載の化粧品用ケース。
【請求項５】
前記口紅装置が口紅主体を含み、前記口紅主体の中には口紅溝が設けられ、前記口紅溝の右端壁にはラックスライド溝が設けられ、前記ラックスライド溝の上端壁にはギヤ空間が設けられ、前記ギヤ空間の右端壁にはトップチャンバが設けられ、前記トップチャンバの中には口紅親ねじがネジ山により連結され、前記口紅親ねじの左端には前記垂直軸ベベルギヤと噛み合える左ベベルギヤが設けられ、前記口紅親ねじの右端には前記ラックスライド溝とスライドできるように連結される移動ラックが設けられ、前記口紅溝の中には大ギヤ機構と小ギヤ機構が設けられ、前記大ギヤ機構が二つ設けられ、前記ギヤ空間の前後端壁と回転できるように連結する大ギヤ軸を含み、前記大ギヤ軸には大ギヤが設けられ、下端の前記大ギヤが前記移動ラックと噛み合うことができ、二つの前記大ギヤ機構と二つの前記小ギヤ機構との間が互いに噛み合って連結され、前記小ギヤ機構が前記ギヤ空間の前後端壁と回転できるように連結される小ギヤ軸を含み、前記小ギヤ軸には小ギヤが設けられ、前記トップチャンバの中にはＬ型ロッドが回転できるように連結され、前記Ｌ型ロッドの左端が歯型であり、前記Ｌ型ロッドと上端の前記大ギヤとが噛み合い、前記Ｌ型ロッドには四つの固定機構が設けられ、前記固定機構がホルダを含み、前記ホルダが前記Ｌ型ロッドの上端面と固定的に連結し、前記ホルダの中には収納溝が設けられ、前記収納溝の左右端壁には抑制溝が対称的に設けられ、前記抑制溝の中にはストップヘッドがスライドできるように連結され、前記ストップヘッドと前記抑制溝との間には抑制ばねが連結され、前記ストップヘッドの間には口紅が当接していることを特徴とする請求項１に記載の化粧品用ケース。
【発明の詳細な説明】
【技術分野】
【０００１】
本発明は日常用品分野を取り上げて、具体的には化粧品用ケースである。
【背景技術】
【０００２】
現在、社会の発展と人類の進歩につれて、女性が日常生活において美を追求する権利がもっと多くなり、化粧品が女性の日常用品の一つとしてよく使われ、しかし、普段化粧品を持ち出す時、よく化粧品用ケースの中に入れ、従来の化粧品用ケースが使われる時、機能が単一で、化粧品を分類固定できないことにより化粧品を壊す等の問題があり、そのため、多機能で化粧品を保護しやすい化粧品用ケースを設計することが実に必要である。
【先行技術文献】
【特許文献】
【０００３】
【特許文献１】中国特許出願公開第１０２８０５４７３号明細書
【発明の概要】
【発明が解決しようとする課題】
【０００４】
本発明は化粧品用ケースを提供し、上記背景技術において提出した問題を解決することを目的とする。
【課題を解決するための手段】
【０００５】
上記の目的を実現するために、本発明は以下の技術プランを提供する：化粧品用ケースは、ケースを含み、前記ケースの中にはモータスライド溝が設けられ、前記モータスライド溝の中には制御装置が設けられ、前記制御装置がコントロールボードを含み、前記モータスライド溝の中には動力装置が設けられ、前記モータスライド溝の左端には開閉チャンバが設けられ、前記コントロールボードが前記開閉チャンバの下端壁に位置し、前記コントロールボードが前記開閉チャンバと相通し、前記コントロールボードと前記開閉チャンバの中には鏡装置が設けられ、前記制御装置が前記鏡装置の上下移動と回転を制御し、前記コントロールボードの下端には駆動チャンバが設けられ、前記駆動チャンバと前記モータスライド溝との間には連結溝が連結され、前記駆動チャンバの中には連動装置が設けられ、前記鏡装置が前記連動装置の上下移動を制御し、前記駆動チャンバの右端壁には上スライド溝が設けられ、前記上スライド溝が前記駆動チャンバと相通し、前記上スライド溝の右端が外界と相通し、前記上スライド溝の中には塗り付け装置が設けられ、前記制御装置と前記動力装置が前記塗り付け装置の回転と左右移動を制御し、前記駆動チャンバの右端壁には下スライド溝が設けられ、前記下スライド溝の左端壁が前記駆動チャンバの右端壁と相通し、前記下スライド溝の中には口紅装置が設けられ、前記制御装置と前記動力装置が前記口紅装置の回転と左右移動を制御する。
【０００６】
好ましくは、前記制御装置が前記コントロールボードを含み、前記コントロールボードの中には前記モータスライド溝と回転できるように連結される制御軸が設けられ、前記コントロールボードの中には移動溝が設けられ、前記移動溝の中には親ねじスリーブがスライドできるように連結され、前記親ねじスリーブには制御親ねじがネジ山により連結され、前記制御親ねじが前記コントロールボードの右部外側まで右へ伸びて貫通し、前記制御親ねじの右端にはつまみが設けられ、前記制御親ねじの中部には制御溝車が設けられ、前記溝車チャンバの下端壁には縄溝が設けられ、前記縄溝の下端壁にはロック溝が設けられ、前記ロック溝の上端壁にはリセット溝が設けられ、前記ロック溝の左端壁には縄ブロックがスライドできるように連結され、前記縄ブロックと前記制御溝車との間には第一縄が連結され、前記ロック溝の中には外側まで伸びている錠がスライドできるように連結され、前記錠の上端面には前記リセット溝とスライドできるように連結されるリセットブロックが固定的に連結され、前記リセットブロックと前記リセット溝の左端壁との間にはリセットブロックばねが連結され、前記移動溝の左端壁には液圧ブロック溝が設けられ、前記液圧ブロック溝の下端壁には規制溝が設けられ、前記液圧ブロック溝の中には液圧ブロックがスライドできるように連結され、前記液圧ブロックの下端面には前記規制溝とスライドできるように連結されるストッパーが設けられ、前記液圧ブロック溝の左端壁には弾性薄膜が設けられ、前記弾性薄膜の左端には回しブロックが固定的に連結され、前記弾性薄膜と前記液圧ブロックとの間には作動油が設けられ、前記コントロールボードの上端にはプラス磁石が固定的に連結される。
【０００７】
好ましくは、前記動力装置がモータブロックを含み、前記モータブロックが前記モータスライド溝の下端壁とスライドできるように連結し、前記モータブロックの右端面と前記モータスライド溝の右端壁との間にはモータブロックばねが連結され、前記モータブロックの中にはモータが設けられ、前記モータの下端にはモータ軸が動力が伝達できるように連結され、前記モータ軸の上端にはモータギヤが設けられ、前記モータ軸の下端にはモータベベルギヤが設けられ、
前記鏡装置が開閉板軸を含み、前記開閉板軸が前記開閉チャンバの前後端壁と回転できるように連結され、前記開閉板軸には捻りばねが設けられ、前記開閉板軸には開閉板が設けられ、前記開閉板の右端には右に開口した凹溝が設けられ、前記凹溝の中には梯形ブロックがスライドできるように連結され、前記梯形ブロックと前記凹溝との間には梯形ブロックばねが連結され、前記ケースの中には前記開閉チャンバの下端に位置する一級凹溝が設けられ、前記一級凹溝の中には長鏡板がスライドできるように連結され、前記長鏡板と前記一級凹溝の下端壁との間には一級ばねが連結され、前記長鏡板の中には上に開口した二級凹溝が設けられ、前記二級凹溝の中には短鏡板がスライドできるように連結され、前記短鏡板と前記二級凹溝との間には二級ばねが連結され、前記短鏡板の右端面には鏡が設けられ、前記長鏡板の右端面には前記プラス磁石と結合するマイナス磁石が設けられる。
【０００８】
好ましくは、前記連動装置は連結ブロックを含み、前記連結ブロックが前記長鏡板の右端面とスライドできるように連結し、前記駆動チャンバの下端面には垂直軸が回転できるように連結され、前記垂直軸の下端には垂直軸ベベルギヤが設けられ、前記垂直軸の上端にはスライドスリーブがスライドできるように連結され、前記スライドスリーブと前記連結ブロックとの間が回転できるように連結され、前記スライドスリーブにはスライドスリーブギヤが設けられ、前記スライドスリーブの中にはスライドキー溝が設けられ、前記スライドキー溝の中にはスライドキーがスライドできるように連結され、前記スライドキーが前記垂直軸と固定的に連結され、
前記塗り付け装置が塗り付け主体を含み、前記塗り付け主体が前記上スライド溝とスライドできるように連結され、前記塗り付け主体の中には蓋チャンバが設けられ、前記蓋チャンバの下端壁にはギヤ溝が設けられ、前記ギヤ溝の下端壁には接合溝が設けられ、前記接合溝の左端壁にはリードスクリュー溝が設けられ、前記リードスクリュー溝の中には塗り付け親ねじがネジ山により連結され、前記塗り付け親ねじの左端には前記モータベベルギヤと噛み合える塗り付けベベルギヤが設けられ、前記塗り付け親ねじの右端には塗り付けギヤが設けられ、前記蓋チャンバの左端壁には横軸が回転できるように連結され、前記横軸の左端には前記塗り付けギヤと噛み合う横軸ギヤが設けられ、前記横軸の中部には左溝車が設けられ、前記横軸の右端には右溝車が設けられ、前記蓋チャンバの下端壁には塗り付け板が左右対称に設けられ、前記塗り付け板の中には塗り付け軸が回転できるように連結され、前記塗り付け軸には塗り付け軸捻りばねが設けられ、前記塗り付け軸捻りばねには蓋が設けられ、前記蓋チャンバの前後端壁には二つの固定滑車が回転できるように連結され、左端の前記蓋と右端の前記右溝車との間には下端の前記固定滑車により第二縄が連結され、右端の前記蓋と左端の前記左溝車との間には上端の前記固定滑車により第三縄が連結される。
【０００９】
好ましくは、前記口紅装置が口紅主体を含み、前記口紅主体の中には口紅溝が設けられ、前記口紅溝の右端壁にはラックスライド溝が設けられ、前記ラックスライド溝の上端壁にはギヤ空間が設けられ、前記ギヤ空間の右端壁にはトップチャンバが設けられ、前記トップチャンバの中には口紅親ねじがネジ山により連結され、前記口紅親ねじの左端には前記垂直軸ベベルギヤと噛み合える左ベベルギヤが設けられ、前記口紅親ねじの右端には前記ラックスライド溝とスライドできるように連結される移動ラックが設けられ、前記口紅溝の中には大ギヤ機構と小ギヤ機構が設けられ、前記大ギヤ機構が二つ設けられ、前記ギヤ空間の前後端壁と回転できるように連結する大ギヤ軸を含み、前記大ギヤ軸には大ギヤが設けられ、下端の前記大ギヤが前記移動ラックと噛み合うことができ、二つの前記大ギヤ機構と二つの前記小ギヤ機構との間が互いに噛み合って連結され、前記小ギヤ機構が前記ギヤ空間の前後端壁と回転できるように連結される小ギヤ軸を含み、前記小ギヤ軸には小ギヤが設けられ、前記トップチャンバの中にはＬ型ロッドが回転できるように連結され、前記Ｌ型ロッドの左端が歯型であり、前記Ｌ型ロッドと上端の前記大ギヤとが噛み合い、前記Ｌ型ロッドには四つの固定機構が設けられ、前記固定機構がホルダを含み、前記ホルダが前記Ｌ型ロッドの上端面と固定的に連結し、前記ホルダの中には収納溝が設けられ、前記収納溝の左右端壁には抑制溝が対称的に設けられ、前記抑制溝の中にはストップヘッドがスライドできるように連結され、前記ストップヘッドと前記抑制溝との間には抑制ばねが連結され、前記ストップヘッドの間には口紅が当接している。
【発明の効果】
【００１０】
以上により、本発明の有益効果は：本装置は口紅を固定するまた開けることができ、塗り付け物の自動オーブンと鏡の自動昇降等の機能を有し、化粧品用ケースの多機能の作用を実現し、同時に、口紅等の装置に対する固定と口紅と塗り付け装置に対する保護とが化粧品の安全を保障でき、つまみの保護により装置をカバンの中に置く場合、誤って触れても装置を開けてしまうことがなく、錯誤が出る可能性を低下させ、同時に単モータを使用して多機能を実現し、装置のコストを低下させ、エネルギー消耗を節約し、この設備はばね、ギヤ、ベベルギヤ、ラック、磁石、親ねじ等の装置を採用し、安定性を増加すると同時に、ばねを採用することにより設備の移動部品を緩衝またはリセットし、設備が作動する時の安定性を効果的に高め、設備の使用寿命を延ばす。
【図面の簡単な説明】
【００１１】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１２】
【図１】図１は本発明の化粧品用ケース全体の正面構成模式図
【図２】図２は本発明図１の中の「Ａ」の部分拡大図
【図３】図３は本発明図１の中の「Ｂ」の部分拡大図
【発明を実施するための形態】
【００１３】
本発明書に開示した全ての特徴、或いは開示した全ての方法、過程中のステップは、互いに排斥する特徴或いはステップ以外に、いかなる方式で組み合わせることができる。
【００１４】
本発明書（いかなる特許請求の範囲、要約書、及び図面）の中に開示した全ての特徴は、特別な叙述がない限り、そのほかの同等或いは類似する目的を持つ代替特徴に取り替えられる。即ち、特別な叙述がない限り、全ての特徴はただ一連の同等或いは類似する特徴の中の一つの例だけである。
【００１５】
以下に図１〜３を交えて本発明について詳しく説明する。便利に叙述するために、現在は後文に出る方位を下記の通りに規定する：後文に出る上下左右前後方向は図１本体の投影関係の上下左右前後方向と一致する。
【００１６】
図１〜３を参照し、本発明の化粧品用ケースは、ケース１００を含み、前記ケース１００の中にはモータスライド溝７８が設けられ、前記モータスライド溝７８の中には制御装置１０１が設けられ、前記制御装置１０１がコントロールボード８０を含み、前記モータスライド溝７８の中には動力装置１０２が設けられ、前記モータスライド溝７８の左端には開閉チャンバ２１が設けられ、前記コントロールボード８０が前記開閉チャンバ２１の下端壁に位置し、前記コントロールボード８０が前記開閉チャンバ２１と相通し、前記コントロールボード８０と前記開閉チャンバ２１の中には鏡装置１０３が設けられ、前記制御装置１０１が前記鏡装置１０３の上下移動と回転を制御し、前記コントロールボード８０の下端には駆動チャンバ７１が設けられ、前記駆動チャンバ７１と前記モータスライド溝７８との間には連結溝４７が連結され、前記駆動チャンバ７１の中には連動装置１０４が設けられ、前記鏡装置１０３が前記連動装置１０４の上下移動を制御し、前記駆動チャンバ７１の右端壁には上スライド溝４８が設けられ、前記上スライド溝４８が前記駆動チャンバ７１と相通し、前記上スライド溝４８の右端が外界と相通し、前記上スライド溝４８の中には塗り付け装置１０５が設けられ、前記制御装置１０１と前記動力装置１０２が前記塗り付け装置１０５の回転と左右移動を制御し、前記駆動チャンバ７１の右端壁には下スライド溝１５が設けられ、前記下スライド溝１５の左端壁が前記駆動チャンバ７１の右端壁と相通し、前記下スライド溝１５の中には口紅装置１０６が設けられ、前記制御装置１０１と前記動力装置１０２が前記口紅装置１０６の回転と左右移動を制御する。
【００１７】
有益的には、前記制御装置１０１が前記コントロールボード８０を含み、前記コントロールボード８０の中には前記モータスライド溝７８と回転できるように連結される制御軸７９が設けられ、前記コントロールボード８０の中には移動溝３４が設けられ、前記移動溝３４の中には親ねじスリーブ３５がスライドできるように連結され、前記親ねじスリーブ３５には制御親ねじ３６がネジ山により連結され、前記制御親ねじ３６が前記コントロールボード８０の右部外側まで右へ伸びて貫通し、前記制御親ねじ３６の右端にはつまみ４１が設けられ、前記制御親ねじ３６の中部には制御溝車３９が設けられ、前記溝車チャンバ３８の下端壁には縄溝４０が設けられ、前記縄溝４０の下端壁にはロック溝４６が設けられ、前記ロック溝４６の上端壁にはリセット溝４２が設けられ、前記ロック溝４６の左端壁には縄ブロック３７がスライドできるように連結され、前記縄ブロック３７と前記制御溝車３９との間には第一縄１が連結され、前記ロック溝４６の中には外側まで伸びている錠４５がスライドできるように連結され、前記錠４５の上端面には前記リセット溝４２とスライドできるように連結されるリセットブロック４４が固定的に連結され、前記リセットブロック４４と前記リセット溝４２の左端壁との間にはリセットブロックばね４３が連結され、前記移動溝３４の左端壁には液圧ブロック溝３１が設けられ、前記液圧ブロック溝３１の下端壁には規制溝３２が設けられ、前記液圧ブロック溝３１の中には液圧ブロック３０がスライドできるように連結され、前記液圧ブロック３０の下端面には前記規制溝３２とスライドできるように連結されるストッパー３３が設けられ、前記液圧ブロック溝３１の左端壁には弾性薄膜２９が設けられ、前記弾性薄膜２９の左端には回しブロック２７が固定的に連結され、前記弾性薄膜２９と前記液圧ブロック３０との間には作動油が設けられ、前記コントロールボード８０の上端にはプラス磁石２８が固定的に連結される。
【００１８】
有益的には、前記動力装置１０２がモータブロック７７を含み、前記モータブロック７７が前記モータスライド溝７８の下端壁とスライドできるように連結し、前記モータブロック７７の右端面と前記モータスライド溝７８の右端壁との間にはモータブロックばね７５が連結され、前記モータブロック７７の中にはモータ７６が設けられ、前記モータ７６の下端にはモータ軸７３が動力が伝達できるように連結され、前記モータ軸７３の上端にはモータギヤ７４が設けられ、前記モータ軸７３の下端にはモータベベルギヤ７２が設けられ、
前記鏡装置１０３が開閉板軸２０を含み、前記開閉板軸２０が前記開閉チャンバ２１の前後端壁と回転できるように連結され、前記開閉板軸２０には捻りばね２２が設けられ、前記開閉板軸２０には開閉板２３が設けられ、前記開閉板２３の右端には右に開口した凹溝２５が設けられ、前記凹溝２５の中には梯形ブロック２６がスライドできるように連結され、前記梯形ブロック２６と前記凹溝２５との間には梯形ブロックばね２４が連結され、前記ケース１００の中には前記開閉チャンバ２１の下端に位置する一級凹溝８６が設けられ、前記一級凹溝８６の中には長鏡板８２がスライドできるように連結され、前記長鏡板８２と前記一級凹溝８６の下端壁との間には一級ばね８５が連結され、前記長鏡板８２の中には上に開口した二級凹溝８３が設けられ、前記二級凹溝８３の中には短鏡板８１がスライドできるように連結され、前記短鏡板８１と前記二級凹溝８３との間には二級ばね８４が連結され、前記短鏡板８１の右端面には鏡１６が設けられ、前記長鏡板８２の右端面には前記プラス磁石２８と結合するマイナス磁石１７が設けられる。
【００１９】
有益的には、前記連動装置１０４は連結ブロック９０を含み、前記連結ブロック９０が前記長鏡板８２の右端面とスライドできるように連結し、前記駆動チャンバ７１の下端面には垂直軸８８が回転できるように連結され、前記垂直軸８８の下端には垂直軸ベベルギヤ８７が設けられ、前記垂直軸８８の上端にはスライドスリーブ９４がスライドできるように連結され、前記スライドスリーブ９４と前記連結ブロック９０との間が回転できるように連結され、前記スライドスリーブ９４にはスライドスリーブギヤ９３が設けられ、前記スライドスリーブ９４の中にはスライドキー溝９１が設けられ、前記スライドキー溝９１の中にはスライドキー９２がスライドできるように連結され、前記スライドキー９２が前記垂直軸８８と固定的に連結され、
前記塗り付け装置１０５が塗り付け主体５１を含み、前記塗り付け主体５１が前記上スライド溝４８とスライドできるように連結され、前記塗り付け主体５１の中には蓋チャンバ１８が設けられ、前記蓋チャンバ１８の下端壁にはギヤ溝１９が設けられ、前記ギヤ溝１９の下端壁には接合溝５３が設けられ、前記接合溝５３の左端壁にはリードスクリュー溝６５が設けられ、前記リードスクリュー溝６５の中には塗り付け親ねじ５２がネジ山により連結され、前記塗り付け親ねじ５２の左端には前記モータベベルギヤ７２と噛み合える塗り付けベベルギヤ６６が設けられ、前記塗り付け親ねじ５２の右端には塗り付けギヤ５０が設けられ、前記蓋チャンバ１８の左端壁には横軸１０９が回転できるように連結され、前記横軸１０９の左端には前記塗り付けギヤ５０と噛み合う横軸ギヤ９６が設けられ、前記横軸１０９の中部には左溝車９５が設けられ、前記横軸１０９の右端には右溝車１４が設けられ、前記蓋チャンバ１８の下端壁には塗り付け板９８が左右対称に設けられ、前記塗り付け板９８の中には塗り付け軸１３が回転できるように連結され、前記塗り付け軸１３には塗り付け軸捻りばね１２が設けられ、前記塗り付け軸捻りばね１２には蓋９９が設けられ、前記蓋チャンバ１８の前後端壁には二つの固定滑車１１が回転できるように連結され、左端の前記蓋９９と右端の前記右溝車１４との間には下端の前記固定滑車１１により第二縄２が連結され、右端の前記蓋９９と左端の前記左溝車９５との間には上端の前記固定滑車１１により第三縄３が連結される。
【００２０】
有益的には、前記口紅装置１０６が口紅主体５９を含み、前記口紅主体５９の中には口紅溝７０が設けられ、前記口紅溝７０の右端壁にはラックスライド溝６３が設けられ、前記ラックスライド溝６３の上端壁にはギヤ空間１０８が設けられ、前記ギヤ空間１０８の右端壁にはトップチャンバ５７が設けられ、前記トップチャンバ５７の中には口紅親ねじ６４がネジ山により連結され、前記口紅親ねじ６４の左端には前記垂直軸ベベルギヤ８７と噛み合える左ベベルギヤ８９が設けられ、前記口紅親ねじ６４の右端には前記ラックスライド溝６３とスライドできるように連結される移動ラック６２が設けられ、前記口紅溝７０の中には大ギヤ機構２００と小ギヤ機構３００が設けられ、前記大ギヤ機構が二つ設けられ、前記ギヤ空間１０８の前後端壁と回転できるように連結する大ギヤ軸６８を含み、前記大ギヤ軸６８には大ギヤ６９が設けられ、下端の前記大ギヤ６９が前記移動ラック６２と噛み合うことができ、二つの前記大ギヤ機構２００と二つの前記小ギヤ機構３００との間が互いに噛み合って連結され、前記小ギヤ機構３００が前記ギヤ空間１０８の前後端壁と回転できるように連結される小ギヤ軸４９を含み、前記小ギヤ軸４９には小ギヤ６７が設けられ、前記トップチャンバ５７の中にはＬ型ロッド５８が回転できるように連結され、前記Ｌ型ロッド５８の左端が歯型であり、前記Ｌ型ロッド５８と上端の前記大ギヤ６９とが噛み合い、前記Ｌ型ロッド５８には四つの固定機構４００が設けられ、前記固定機構４００がホルダ１０７を含み、前記ホルダ１０７が前記Ｌ型ロッド５８の上端面と固定的に連結し、前記ホルダ１０７の中には収納溝５５が設けられ、前記収納溝５５の左右端壁には抑制溝６１が対称的に設けられ、前記抑制溝６１の中にはストップヘッド５６がスライドできるように連結され、前記ストップヘッド５６と前記抑制溝６１との間には抑制ばね６０が連結され、前記ストップヘッド５６の間には口紅５４が当接している。
【００２１】
以下、出願人は付図１−３及び上記説明した本出願の化粧品用ケースの具体的な構成を参照し、本出願の化粧品用ケースの使用方法を詳しく説明する：まず、初期状態において、前記コントロールボード８０が閉じており、前記開閉板２３が閉じており、前記垂直軸ベベルギヤ８７と前記左ベベルギヤ８９とが噛合状態にある。
【００２２】
使用する時、手で前記つまみ４１を回転させ、前記制御親ねじ３６と前記制御溝車３９との回転により、前記縄ブロック３７を上へ引っ張り、これによって前記親ねじスリーブ３５を連動して左へ移動させ、これによって前記液圧ブロック３０を左へ押し付け、作動油により前記回しブロック２７を左へ押し付け、前記梯形ブロック２６を前記モータスライド溝７８から押し出し、前記捻りばね２２により前記開閉板２３を連動して開けさせ、これによって前記短鏡板８１と前記長鏡板８２が弾き出され、前記連結ブロック９０が前記スライドスリーブ９４を連動して上へ移動させ、前記スライドスリーブギヤ９３を前記モータギヤ７４と噛み合わせ、口紅機構を使用する時、前記モータ７６を始動して前記モータ軸７３と、前記モータギヤ７４、前記スライドスリーブギヤ９３と、前記スライドスリーブ９４とを連動して回転させ、前記スライドキー９２により前記垂直軸８８と、前記垂直軸ベベルギヤ８７と、前記左ベベルギヤ８９と、前記口紅親ねじ６４とを連動して回転させることにより、前記口紅主体５９を右へ移動させ、前記Ｌ型ロッド５８が前記下スライド溝１５から離れる時、前記移動ラック６２が大ギヤ機構２００と噛み合い、小ギヤ機構３００により前記Ｌ型ロッド５８を連動して上へ移動させ、前記ホルダ１０７と前記口紅５４を上へ移動させ、その後前記口紅５４を引き抜けばよく、使用完了後、前記モータ７６を逆方向に回転させればよく、前記塗り付け装置１０５を使用する時、前記錠４５を左へ押し付け、その後前記コントロールボード８０を上にめくり、これによって前記プラス磁石２８が前記マイナス磁石１７を吸い付け、この時、押し出された前記回しブロック２７により前記モータブロック７７を右に押し付け、これによって前記モータベベルギヤ７２が前記塗り付けベベルギヤ６６と噛み合い、その後前記モータ７６を始動し、これによって前記モータベベルギヤ７２と、前記塗り付けベベルギヤ６６と、前記塗り付け親ねじ５２と、前記塗り付けギヤ５０とを連動して回転させ、これにより前記塗り付け主体５１を右へ移動させ、前記蓋チャンバ１８が前記上スライド溝４８から完全に離れた時、前記塗り付けギヤ５０が前記横軸ギヤ９６と噛み合い始め、これによって前記横軸１０９と前記左溝車９５とを連動して回転させ、これによって前記第二縄２と前記第三縄３により前記蓋９９を開けて使用し、全部使用完了後、前記モータ７６を逆方向に回転させて前記塗り付け装置１０５を戻らせ、前記つまみ４１が前記縄ブロック３７を放し、前記親ねじスリーブ３５と前記回しブロック２７とを戻らせ、前記コントロールボード８０を閉じ、その後前記短鏡板８１と前記長鏡板８２とを押し戻し、その後前記開閉板２３を押し戻し、前記梯形ブロック２６が再び前記モータスライド溝７８に引っ掛かる。
【００２３】
本発明の有益効果は：本装置は口紅を固定するまた開けることができ、塗り付け物の自動オーブンと鏡の自動昇降等の機能を有し、化粧品用ケースの多機能の作用を実現し、同時に、口紅等の装置に対する固定と口紅と塗り付け装置に対する保護とが化粧品の安全を保障でき、つまみの保護により装置をカバンの中に置く場合、誤って触れても装置を開けてしまうことがなく、錯誤が出る可能性を低下させ、同時に単モータを使用して多機能を実現し、装置のコストを低下させ、エネルギー消耗を節約する。
【００２４】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020171656.tif 000003
【図２】
2020171656.tif 000004
【図３】
2020171656.tif 000005
【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
ケースを含み、前記ケースの中にはモータスライド溝が設けられ、前記モータスライド溝の中には制御装置が設けられ、前記制御装置がコントロールボードを含み、前記モータスライド溝の中には動力装置が設けられ、前記モータスライド溝の左端には開閉チャンバが設けられ、前記コントロールボードが前記開閉チャンバの下端壁に位置し、前記コントロールボードが前記開閉チャンバと相通し、前記コントロールボードと前記開閉チャンバの中には鏡装置が設けられ、前記制御装置が前記鏡装置の上下移動と回転を制御し、前記コントロールボードの下端には駆動チャンバが設けられ、前記駆動チャンバと前記モータスライド溝との間には連結溝が連結され、前記駆動チャンバの中には連動装置が設けられ、前記鏡装置が前記連動装置の上下移動を制御し、前記駆動チャンバの右端壁には上スライド溝が設けられ、前記上スライド溝が前記駆動チャンバと相通し、前記上スライド溝の右端が外界と相通し、前記上スライド溝の中には塗り付け装置が設けられ、前記制御装置と前記動力装置が前記塗り付け装置の回転と左右移動を制御し、前記駆動チャンバの右端壁には下スライド溝が設けられ、前記下スライド溝の左端壁が前記駆動チャンバの右端壁と相通し、前記下スライド溝の中には口紅装置が設けられ、前記制御装置と前記動力装置が前記口紅装置の回転と左右移動を制御することができ、
前記制御装置が前記コントロールボードを含み、前記コントロールボードの中には前記モータスライド溝と回転できるように連結される制御軸が設けられ、前記コントロールボードの中には移動溝が設けられ、前記移動溝の中には親ねじスリーブがスライドできるように連結され、前記親ねじスリーブには制御親ねじがネジ山により連結され、前記制御親ねじが前記コントロールボードの右部外側まで右へ伸びて貫通し、前記制御親ねじの右端にはつまみが設けられ、前記制御親ねじの中部には制御溝車が設けられ、前記溝車チャンバの下端壁には縄溝が設けられ、前記縄溝の下端壁にはロック溝が設けられ、前記ロック溝の上端壁にはリセット溝が設けられ、前記ロック溝の左端壁には縄ブロックがスライドできるように連結され、前記縄ブロックと前記制御溝車との間には第一縄が連結され、前記ロック溝の中には外側まで伸びている錠がスライドできるように連結され、前記錠の上端面には前記リセット溝とスライドできるように連結されるリセットブロックが固定的に連結され、前記リセットブロックと前記リセット溝の左端壁との間にはリセットブロックばねが連結され、前記移動溝の左端壁には液圧ブロック溝が設けられ、前記液圧ブロック溝の下端壁には規制溝が設けられ、前記液圧ブロック溝の中には液圧ブロックがスライドできるように連結され、前記液圧ブロックの下端面には前記規制溝とスライドできるように連結されるストッパーが設けられ、前記液圧ブロック溝の左端壁には弾性薄膜が設けられ、前記弾性薄膜の左端には回しブロックが固定的に連結され、前記弾性薄膜と前記液圧ブロックとの間には作動油が設けられ、前記コントロールボードの上端にはプラス磁石が固定的に連結され、
前記動力装置がモータブロックを含み、前記モータブロックが前記モータスライド溝の下端壁とスライドできるように連結し、前記モータブロックの右端面と前記モータスライド溝の右端壁との間にはモータブロックばねが連結され、前記モータブロックの中にはモータが設けられ、前記モータの下端にはモータ軸が動力が伝達できるように連結され、前記モータ軸の上端にはモータギヤが設けられ、前記モータ軸の下端にはモータベベルギヤが設けられ、
前記鏡装置が開閉板軸を含み、前記開閉板軸が前記開閉チャンバの前後端壁と回転できるように連結され、前記開閉板軸には捻りばねが設けられ、前記開閉板軸には開閉板が設けられ、前記開閉板の右端には右に開口した凹溝が設けられ、前記凹溝の中には梯形ブロックがスライドできるように連結され、前記梯形ブロックと前記凹溝との間には梯形ブロックばねが連結され、前記ケースの中には前記開閉チャンバの下端に位置する一級凹溝が設けられ、前記一級凹溝の中には長鏡板がスライドできるように連結され、前記長鏡板と前記一級凹溝の下端壁との間には一級ばねが連結され、前記長鏡板の中には上に開口した二級凹溝が設けられ、前記二級凹溝の中には短鏡板がスライドできるように連結され、前記短鏡板と前記二級凹溝との間には二級ばねが連結され、前記短鏡板の右端面には鏡が設けられ、前記長鏡板の右端面には前記プラス磁石と結合するマイナス磁石が設けられ、
前記連動装置は連結ブロックを含み、前記連結ブロックが前記長鏡板の右端面とスライドできるように連結し、前記駆動チャンバの下端面には垂直軸が回転できるように連結され、前記垂直軸の下端には垂直軸ベベルギヤが設けられ、前記垂直軸の上端にはスライドスリーブがスライドできるように連結され、前記スライドスリーブと前記連結ブロックとの間が回転できるように連結され、前記スライドスリーブにはスライドスリーブギヤが設けられ、前記スライドスリーブの中にはスライドキー溝が設けられ、前記スライドキー溝の中にはスライドキーがスライドできるように連結され、前記スライドキーが前記垂直軸と固定的に連結され、
前記塗り付け装置が塗り付け主体を含み、前記塗り付け主体が前記上スライド溝とスライドできるように連結され、前記塗り付け主体の中には蓋チャンバが設けられ、前記蓋チャンバの下端壁にはギヤ溝が設けられ、前記ギヤ溝の下端壁には接合溝が設けられ、前記接合溝の左端壁にはリードスクリュー溝が設けられ、前記リードスクリュー溝の中には塗り付け親ねじがネジ山により連結され、前記塗り付け親ねじの左端には前記モータベベルギヤと噛み合える塗り付けベベルギヤが設けられ、前記塗り付け親ねじの右端には塗り付けギヤが設けられ、前記蓋チャンバの左端壁には横軸が回転できるように連結され、前記横軸の左端には前記塗り付けギヤと噛み合う横軸ギヤが設けられ、前記横軸の中部には左溝車が設けられ、前記横軸の右端には右溝車が設けられ、前記蓋チャンバの下端壁には塗り付け板が左右対称に設けられ、前記塗り付け板の中には塗り付け軸が回転できるように連結され、前記塗り付け軸には塗り付け軸捻りばねが設けられ、前記塗り付け軸捻りばねには蓋が設けられ、前記蓋チャンバの前後端壁には二つの固定滑車が回転できるように連結され、左端の前記蓋と右端の前記右溝車との間には下端の前記固定滑車により第二縄が連結され、右端の前記蓋と左端の前記左溝車との間には上端の前記固定滑車により第三縄が連結され、
前記口紅装置が口紅主体を含み、前記口紅主体の中には口紅溝が設けられ、前記口紅溝の右端壁にはラックスライド溝が設けられ、前記ラックスライド溝の上端壁にはギヤ空間が設けられ、前記ギヤ空間の右端壁にはトップチャンバが設けられ、前記トップチャンバの中には口紅親ねじがネジ山により連結され、前記口紅親ねじの左端には前記垂直軸ベベルギヤと噛み合える左ベベルギヤが設けられ、前記口紅親ねじの右端には前記ラックスライド溝とスライドできるように連結される移動ラックが設けられ、前記口紅溝の中には大ギヤ機構と小ギヤ機構が設けられ、前記大ギヤ機構が二つ設けられ、前記ギヤ空間の前後端壁と回転できるように連結する大ギヤ軸を含み、前記大ギヤ軸には大ギヤが設けられ、下端の前記大ギヤが前記移動ラックと噛み合うことができ、二つの前記大ギヤ機構と二つの前記小ギヤ機構との間が互いに噛み合って連結され、前記小ギヤ機構が前記ギヤ空間の前後端壁と回転できるように連結される小ギヤ軸を含み、前記小ギヤ軸には小ギヤが設けられ、前記トップチャンバの中にはＬ型ロッドが回転できるように連結され、前記Ｌ型ロッドの左端が歯型であり、前記Ｌ型ロッドと上端の前記大ギヤとが噛み合い、前記Ｌ型ロッドには四つの固定機構が設けられ、前記固定機構がホルダを含み、前記ホルダが前記Ｌ型ロッドの上端面と固定的に連結し、前記ホルダの中には収納溝が設けられ、前記収納溝の左右端壁には抑制溝が対称的に設けられ、前記抑制溝の中にはストップヘッドがスライドできるように連結され、前記ストップヘッドと前記抑制溝との間には抑制ばねが連結され、前記ストップヘッドの間には口紅が当接しており、
使用する時、手で前記つまみを回転させ、前記制御親ねじと前記制御溝車との回転により、前記縄ブロックを上へ引っ張り、これによって前記親ねじスリーブを連動して左へ移動させ、これによって前記液圧ブロックを左へ押し付け、作動油により前記回しブロックを左へ押し付け、前記梯形ブロックを前記モータスライド溝から押し出し、前記捻りばねにより前記開閉板を連動して開けさせ、これによって前記短鏡板と前記長鏡板が弾き出され、前記連結ブロックが前記スライドスリーブを連動して上へ移動させ、前記スライドスリーブギヤを前記モータギヤと噛み合わせ、口紅機構を使用する時、前記モータを始動して前記モータ軸と、前記モータギヤ、前記スライドスリーブギヤと、前記スライドスリーブとを連動して回転させ、前記スライドキーにより前記垂直軸と、前記垂直軸ベベルギヤと、前記左ベベルギヤと、前記口紅親ねじとを連動して回転させることにより、前記口紅主体を右へ移動させ、前記Ｌ型ロッドが前記下スライド溝から離れる時、前記移動ラックが大ギヤ機構と噛み合い、小ギヤ機構により前記Ｌ型ロッドを連動して上へ移動させ、前記ホルダと前記口紅を上へ移動させ、その後前記口紅を引き抜けばよく、使用完了後、前記モータを逆方向に回転させればよく、前記塗り付け装置を使用する時、前記錠を左へ押し付け、その後前記コントロールボードを上にめくり、これによって前記プラス磁石が前記マイナス磁石を吸い付け、この時、押し出された前記回しブロックにより前記モータブロックを右に押し付け、これによって前記モータベベルギヤが前記塗り付けベベルギヤと噛み合い、その後前記モータを始動し、これによって前記モータベベルギヤと、前記塗り付けベベルギヤと、前記塗り付け親ねじと、前記塗り付けギヤとを連動して回転させ、これにより前記塗り付け主体を右へ移動させ、前記蓋チャンバが前記上スライド溝から完全に離れた時、前記塗り付けギヤが前記横軸ギヤと噛み合い始め、これによって前記横軸と前記左溝車とを連動して回転させ、これによって前記第二縄と前記第三縄により前記蓋を開けて使用し、全部使用完了後、前記モータを逆方向に回転させて前記塗り付け装置を戻らせ、前記つまみが前記縄ブロックを放し、前記親ねじスリーブと前記回しブロックとを戻らせ、前記コントロールボードを閉じ、その後前記短鏡板と前記長鏡板とを押し戻し、その後前記開閉板を押し戻し、前記梯形ブロックが再び前記モータスライド溝に引っ掛かることを特徴とする化粧品用ケース。